(57)【要約】【課題】複数本を束にしても、１本ずつ引き抜くのが容易な止め線を提供する。【解決手段】本発明の止め線３０は、止め線本体３１と封止体３２とからなる。止め線本体３１は交互に振幅方向の同じ向きに張り出される張り出し部３１ａ，３１ｂと、振幅方向の異なる向きに張り出され、かつ隣り合う張り出し部３１ａと３１ｂを繋ぐ連結部３１ｃと、を備える。封止体３２が振幅方向の同じ向きに張り出され、かつ隣り合う張り出し部同士の間口Ｃを封止することによって、止め線本体３１の張り出し部３１ａ，３１ｂに、他の止め線本体３１の張り出し部３１ａ，３１ｂが入り込んで止め線３０が互いに絡み合うことを阻止する。【選択図】図１
2011097838.tif 000002
【特許請求の範囲】
【請求項１】
フレームのシート定着溝にシートと共に嵌め込まれることにより前記シートを前記シート定着溝に止着する波形の止め線であって、
前記止め線は、止め線本体と、封止体とからなり、
前記止め線本体は、
振幅方向の同じ向きに交互に張り出される張り出し部と、
振幅方向の異なる向きに張り出され、かつ隣り合う前記張り出し部を繋ぐ連結部と、を備え、
前記封止体は、
振幅方向の同じ向きに張り出され、かつ隣り合う前記張り出し部同士の間口を封止する、
ことを特徴とする止め線。
【請求項２】
前記封止体は、前記止め線本体の全部又は一部を収容する袋体である請求項１に記載の止め線。
【発明の詳細な説明】
【技術分野】
【０００１】
本発明は、ビニールハウスの被覆材であるビニールシートを、ビニールハウスの骨組をなすフレームへ止着するシート止着用の止め線に関するものである。
【背景技術】
【０００２】
従来、ビニールハウスにビニールシートを止着する作業は、図６、図７に示す通り、ビニールハウス９の骨組４に固定されたフレーム１上にビニールシート２を展張し、その上から止め線３をフレーム１に開口部１４を介して嵌め込むことによりなされている（例えば特許文献１）。金属から構成され弾性を有する止め線３は、開口部１４の幅よりも大きい振幅で張り出し部３ａが交互に繰り返し設けられ、波形をしている。
【０００３】
フレーム１には、図７に示す通り、開口部１４よりも幅が広いシート定着溝１１が設けられている。ビニールシート２が開口部１４の上に展張された状態で、ビニールシート２の上から止め線３を開口部１４から挿入しシート定着溝１１に押し込む。このとき、止め線３の張り出し部３ａがビニールシート２の上からシート定着溝１１の内側側壁を押圧し、ビニールシート２がフレーム１中に止着される。
【先行技術文献】
【特許文献】
【０００４】
【特許文献１】特開平９−３７６５７号公報
【発明の概要】
【発明が解決しようとする課題】
【０００５】
ビニールハウス９は、ハウス９内で栽培した農作物等の出荷が終えた後に解体され、止め線３は次の季節に利用されるまで倉庫等にて保管される。保管場所のスペースを節約するために、止め線３は、通常１本ずつの単体を複数本に束ねて保管されるが、束ねた止め線３同士が複雑に絡み合ってしまうことが問題となっている（図８（ｂ）（ｃ））。長手方向の長さが２〜４ｍ程度と長尺であることから、次にビニールハウス９を組み立てるために止め線３を使用するときに、止め線３の束から１本ずつ引き抜くことが困難であり、作業性の低下を招いている。また、止め線３を１本ずつばらすことができたとしても、ビニールハウス９の頂部などの高所でビニールシート２を取り付ける作業時には、複数本の止め線３を再び束にして携行する必要がある。絡み合った止め線３を高所で再度１本ずつ引き抜くのは非効率的であり危険を伴うため、複数本を束にしても絡まることなく１本ずつ容易に引き抜くことのできる止め線が切望されている。
【０００６】
本発明は、このような課題に基づいてなされたもので、複数を束ねた中から、１本ずつを容易に引き抜くことのできる止め線を提供することを目的とする。
【課題を解決するための手段】
【０００７】
止め線３は、前述したように金属性で弾性を有するため撓みやすいうえ、張り出し部３ａが交互に繰り返される波形をなしているため、複数本を重ねると一方の止め線３の張り出し部３ａが他方の止め線３の張り出し部３ａに引っ掛かり絡まりやすい（図８（ａ）（ｂ）（ｃ））。そこで、本発明者は同じ向きに張り出す隣り合う張り出し部３ａ同士の間口Ｃを封止体Ｓにより封止したところ（図８（ｄ））、一方の止め線３の張り出し部３ａと他方の止め線３の張り出し部３ａとが互いに引っ掛かり絡み合うことを阻止することができた。
【０００８】
以上の検討結果に基づく本発明の止め線は、フレームのシート定着溝にシートと共に嵌め込まれることによりシートをシート定着溝に止着する波形の止め線であって、この止め線は、止め線本体と、封止体とからなる。止め線本体は、振幅方向の同じ向きに交互に張り出される張り出し部と、振幅方向の異なる向きに張り出され、かつ隣り合う張り出し部を繋ぐ連結部と、を備える。そして、封止体は、振幅方向の同じ向きに張り出され、かつ隣り合う張り出し部同士の間口を封止することを特徴とするものである。
【０００９】
本発明の止め線は、振幅方向の同じ向きに張り出され、かつ隣り合う張り出し部同士の間口を封止するので、束にされたときに、隣接する止め線同士の張り出し部が絡み合うことがない。
【００１０】
本発明の止め線における封止体は、種々の形態を採用できるが、袋体で止め線本体の長手方向を収容する形態とすることが好ましい。この形態によれば、止め線を袋体で収容するという簡単な作業により当該間口を封止できるからである。
【発明の効果】
【００１１】
本発明の止め線によれば、振幅方向の同じ向きに張り出され、かつ隣り合う張り出し部同士の間口が封止されるので、絡み合うことがない。したがって、本発明によれば、複数を束ねた中から止め線を１本ずつ引き抜くのが容易である。
【図面の簡単な説明】
【００１２】
【図１】本発明の第１の実施形態における止め線を示し、（ａ）は正面図、（ｂ）は止め線本体の部分拡大図、（ｃ）は（ａ）の１ｃ−１ｃ矢視断面図、（ｄ）は（ａ）の１ｄ−１ｄ矢視断面図である。
【図２】本発明の第１の実施形態における止め線の変更例を示す正面図である。
【図３】本発明の第２の実施形態における止め線を示し、（ａ）は正面図、（ｂ）は側面図である。
【図４】本発明の第３の実施形態における止め線を示し、（ａ）は正面図、（ｂ）は側面図である。
【図５】本発明の第４の実施形態における止め線を示し、（ａ）は正面図、（ｂ）は側面図である。
【図６】ビニールハウスにおけるシート止着の作業説明図である。
【図７】従来のシート止着の原理説明図である。
【図８】（ａ）は従来の止め線の正面図であり、（ｂ）および（ｃ）は従来の止め線を複数本束ねた場合に止め線が絡まる様子を説明した図であり、（ｄ）は止め線本体と封止体とからなる本発明の止め線の概略を示す正面図である。
【発明を実施するための形態】
【００１３】
以下、添付図面に示す実施の形態に基づいてこの発明を詳細に説明する。
＜第１の実施形態＞
図１に示される本発明の第１の実施形態に係る止め線３０は、図７に示す従来の止め線３と同様にビニールハウス９のビニールシート２を止着するものを例にして説明する。ただし、例えば、遮光シートや防虫ネット等のほか、他のシートの止着にも使用できる。
【００１４】
止め線３０は、止め線本体３１と、止め線本体３１の間口Ｃを封止する袋状の封止体３２とからなる。
止め線本体３１は、張り出し部３１ａと張り出し部３１ｂとが繰り返して形成されることにより、波形をなしている。張り出し部３１ａは、振幅方向（白抜き矢印Ｙで示す）の同じ向きに交互に張り出され、張り出し部３１ｂもまた、白抜き矢印Ｙで示す振幅方向の同じ向きに交互に張り出される。振幅方向の異なる向きに張り出され、かつ隣り合う張り出し部３１ａと張り出し部３１ｂは、連結部３１ｃにより繋がれている（図１（ａ））。
【００１５】
止め線本体３１には、振幅方向の同じ向きに張り出され、かつ隣り合う張り出し部３１ａ，３１ａ（又は３１ｂ，３１ｂ）の間に間口Ｃが形成される。間口Ｃを介して止め線本体３１の張り出し部３１ａ（又は３１ｂ）に他の張り出し部３１ａ（又は３１ｂ）が入り込むことで、前述したように、止め線本体３１同士が絡む。
【００１６】
止め線本体３０の長手方向（白抜き矢印Ｘで示す）の長さは、任意であるが、ビニールハウスのビニールシート２を止着する作業効率を考慮すると、２〜４ｍ程度とするのがよい。止め線本体３０は、通常、鉄を主成分とする金属製であるため、屋外で使用されることを考慮して、耐食性向上のために表面に樹脂皮膜を形成する、めっき処理をするなどのバリア処理を施されていてもよい。なお、本発明の止め線本体は、金属製に限定されず、樹脂で構成されていてもよい。
【００１７】
封止体３２は、合成樹脂（例えばビニール）からなり、長手方向の両端部に開口部３２ａ、３２ａが設けられた袋体から構成される。止め線本体３１は、いずれか一方の開口部３２ａから挿入され、封止体３２に収容される。そうすると、止め線本体３１の間口Ｃ（図１（ｂ））は、封止体３２に覆われることで、封止される。このようにして、止め線本体３１の間口Ｃが封止されることにより、複数の止め線本体３１を束にしても止め線本体３１の張り出し部３１ａ，３１ｂに他の止め線本体３１の張り出し部３１ａ，３１ｂが入り込むことがないので、束から止め線３０を１本ずつ容易に引き抜くことができる。なお、封止体３２に止め線本体３１を挿入した後に、開口部３２ａ、３２ａを適宜の手段で閉じることで、封止体３２が止め線本体３１から抜け出るのを防止できる。
【００１８】
止め線本体３１や従来の止め線３を複数本束ねた際にこれらの線が絡まりやすいのは、止め線本体３１や止め線３が波形であることが原因のひとつである。止め線本体３１の交互に繰り返された張り出し部３１ａ，３１ｂが他の止め線本体３１の張り出し部３１ａ，３１ｂに入り込んで止め線３０同士が互いに絡み合うため、複数の止め線本体３１の束から１本ずつ引き抜くことが困難となる。仮に、止め線本体３１が直線であれば、止め線本体３１同士が互いに絡み合うこともなく、複数本の束から１本ずつ容易に引き抜くことができる。本実施の形態の封止体３２は、止め線本体３１の振幅方向の同じ向きに張り出され、かつ隣り合う張り出し部３１ａ，３１ｂを覆うことで張り出し部３１ａ，３１ｂ同士の間口Ｃを封止し、見かけ上は止め線本体３１を棒状の部材にする役割を果たすものである。
【００１９】
封止体３２を構成するビニール材の色彩は限定されないが、止め線本体３１を視認できる透明度を有していることが好ましい。前述の通り、止め線本体３１は腐食しやすい金属からなるため、表面にバリア処理を施していたとしても、長期間倉庫等で保管した場合に止め線本体３１に腐食が生じることがある。止め線本体３１の表面を封止体３２が透明であれば、止め線本体３１から封止体３２を抜き取る手間をかけずに、封止体３２を透して止め線本体３１に腐食が生じていないか確認することができる。
【００２０】
封止体３２の長さは、止め線本体３１の長さに応じて適宜選択されるが、できるだけ多くの間口Ｃが封止される長さとしたほうが、止め線本体３１が絡みにくくなることは言うまでも無い。もっとも、止め線３０の絡みを防止するためには、止め線本体３１の全ての間口Ｃを封止体３２で覆う必要はなく、本発明者等の検討によると、例えば、間口Ｃの数が１０あるとすれば、５（５０％）以上の間口Ｃ（図１の例が該当）、好ましくは７（７０％）以上の間口Ｃ、より好ましくは９（９０％）以上の間口Ｃを封止できればよい。最も好ましいのは、図２に示す止め線１３０である。止め線１３０は、止め線本体３１と止め線本体３１の間口Ｃを封止する袋体１３２とからなる。袋体１３２は、止め線本体３１の全体、すなわち止め線本体３１の長手方向の両端部までを被覆し、止め線本体３１の全ての間口Ｃを封止するように設けられることの他は、第１の実施形態に係る封止体３２と同じ構成である。このように、袋体１３２に完全に封入された止め線本体３１は別の止め線３１と接触すらしなくなるため、複数の止め線１３０を束ねても単体の止め線１３０や１本の止め線本体３１を束から引き抜くことが極めて容易となる。なお、袋体１３２は、止め線本体３１を挿入する前に、開口部１３２ａ、１３２ａのいずれか一方を閉じてもよい。また、止め線本体３１を開口部１３２ａから挿入した後に、開口部１３２ａ、１３２ａのいずれか一方を閉じて袋体にしても良いし、開口部１３２ａ、１３２ａの双方を閉じて、止め線本体３１が袋体１３２の中に完全に密封されるように形成されても良い。
【００２１】
また、封止体３２の幅（すなわち、開口部３２ａの幅）には、止め線本体３１の振幅方向の長さよりも若干大きく、止め線本体３１を封止体３２に挿入する作業や、止め線本体３１を封止体３２から抜き取る作業が容易にできるように、余裕を設けるのが好ましい。ただし、封止体３２の幅があまりにも大きすぎると、止め線３０を束にして作業場に携行する際にかさばってしまい不便になるし、フレーム１にビニールシート２を止着する際に、封止体３２の余分なところが開口部１４からシート定着溝１１へ押し込む作業の妨げとなる。
【００２２】
止め線３０は、ビニールハウス９の骨組み４に固定されたフレーム１のシート定着溝１１にビニールシート２の上からビニールシート２とともに押し込まれ、嵌合される。このとき、止め線本体３１の張り出し部３１ａがシート定着溝１１の内側側壁を押圧することにより、ビニールシート２がフレーム１に止着される。尚、止め線３０は、止め線本体３１に封止体３２が装着された状態でそのまま使用しても良いし、止め線本体３１から封止体３２を抜き取って止め線本体３１のみで止着しても良い。
ただし、封止体３２が装着された止め線３０そのものをビニールシート２の止着に用いたほうが、止め線本体３１を封止体３２から抜き取る手間が省け、作業効率が向上する。止め線３の表面は、バリア処理されているとしても、長期間に渡り風雨に曝されることによって表面に腐食が生じ、その腐食が止着しているビニールシート２に波及して孔を開けてしまうことがある。そうすると、この孔を通って雨水がビニールハウス９内に入り、農作物に悪影響を及ぼすことがある。したがって、止め線本体３１に封止体３２が装着された状態で止め線３０を用いることで、止め線本体３１の腐食を抑えることが好ましい。特に、止め線本体３１の全体を袋体１３２で覆う止め線１３０は、止め線本体３１の腐食防止効果が大きいので、ビニールシート２の損傷を避ける上で好ましい。
【００２３】
なお、以上説明した止め線３０，１３０では、袋体の封止体３２，１３２を用いたが、１枚の平面状のビニール材を止め線本体３１に巻き付けることで間口Ｃを封止することもできる。
【００２４】
以上、第１の実施形態では、止め線本体３１を封止体３２（１３２）により被覆し、止め線本体３１の振幅方向の同じ向きに張り出され、かつ隣り合う張り出し部３１ａ、３１ａ同士の間口Ｃを被覆することで、止め線本体３１の間口Ｃを封止する方法を説明した。しかし、本発明の封止体は封止体３２（１３２）の形態に限らなくても良い。以下、異なる形態の封止体の例について説明する。尚、以下に説明するいずれの封止体も、止め線本体とともに使用することで、複数の止め線本体を束にしても１本ずつ引き抜くことが容易となるものである。
【００２５】
＜第２の実施形態＞
図３に示す第２の実施形態に係る止め線２３０は、封止体２３２ＵＳ，２３２ＬＳが止め線本体３１を止め線本体３１の表面および裏面からシートで挟むように形成されている以外は、第１の実施形態に係る止め線３０と同じ構成である。止め線本体３１の表面および裏面を１枚ずつのシート状の封止体２３２ＵＳ、２３２ＬＳで挟み、止め線本体３１と封止体２３２ＵＳ、２３２ＬＳとをそれぞれ接着することにより、止め線本体３１の間口Ｃを封止する。封止体２３２ＵＳ，２３２ＬＳは、止着作業時の止め線本体３１の撓みに追従できるよう伸縮性を有するビニール材等で構成されるのが好ましい。
【００２６】
＜第３の実施形態＞
図４に示す第３の実施形態に係る止め線３３０は、テープ状の封止体３３２Ｕ，３３２Ｌが止め線本体３１の長手方向の上側面および下側面から止め線本体３１の表面および裏面の一部を被覆するように形成されていること以外は、第１の実施形態に係る止め線３０と同じ構成である。封止体３３２Ｕは止め線本体３１の長手方向の上側面から止め線本体３１の表面と裏面の一部を被覆し、封止体３３２Ｌは止め線本体３１の長手方向の下側面から止め線本体３１の表面と裏面の一部を被覆することで、止め線本体３１の間口Ｃを封止する。封止体３３２Ｕ，３３２Ｌは、弾性を有する止め線本体３１の撓みを阻害することのないよう伸縮性を有するビニールテープ等で構成されるのが好ましい。
【００２７】
＜第４の実施形態＞
図５に示す第４の実施形態に係る止め線４３０は、糸状の封止体４３２が止め線本体３１の振幅方向の同じ向きに張り出され、かつ隣り合う張り出し部３１ａ同士の間口Ｃを封止するように形成されていること以外は、第１の実施形態に係る止め線３０と同じ構成である。糸状の封止体４３２は、隣り合う張り出し部３１ａにて止め線本体３１に溶着、接着などの手段により固定され、間口Ｃを封止する。
【００２８】
これ以外にも、本発明の主旨を逸脱しない限り、上記実施の形態で挙げた構成を取捨選択したり、他の構成に適宜変更することが可能である。
【符号の説明】
【００２９】
１…フレーム、２…ビニールシート、３…止め線、４…骨組み、９…ビニールハウス、１１…シート定着溝、１４…開口部
３０、１３０、２３０、３３０、４３０…止め線
３１…止め線本体、３１ａ，３１ｂ…張り出し部、３１ｃ…連結部
３２、１３２、２３２ＵＳ，２３２ＬＳ、３３２Ｕ，３３２Ｌ、４３２…封止体
３２ａ、１３２ａ…開口部
Ｃ…間口、Ｓ…封止体
【図１】
2011097838.tif 000003
【図２】
2011097838.tif 000004
【図３】
2011097838.tif 000005
【図４】
2011097838.tif 000006
【図５】
2011097838.tif 000007
【図６】
2011097838.tif 000008
【図７】
2011097838.tif 000009
【図８】
2011097838.tif 000010